(57)【要約】      （修正有）【課題】医療処置中に挿入装置の位置をリアルタイムに追跡できるシステムを提供する。【解決手段】治療部位をカバーする電磁場を発生させるように構成された電磁場発生器１０２と、被験者の向きを定める位置で治療部位の中に位置決めされるように構成された薄板形センサ１０８と、被験者の胴の上で治療部位の中に位置決めされるように構成された基準センサ１０４と、基準座標系に対して少なくとも１つの第１の解剖学的位置及び１つの第２の解剖学的位置にマークを付けるように構成された登録センサ１０６と、該センサ１０８、１０４、及び１０６から得られる信号を読み取り、該電磁場発生器１０２に対するその位置及び向きを計算し、前記被験者の胴並びに前記第１の解剖学的位置及び前記第２の解剖学的位置を表す３次元解剖学的マップを生成するように構成されたプロセッサと、を含む挿入装置位置決め誘導システムである。【選択図】図１
2018027308.tif 000002
【特許請求の範囲】
【請求項１】
治療部位をカバーする電磁場を発生させるように構成された電磁場発生器と、
被験者の向きを定める位置で前記治療部位の中に位置決めされるように構成された薄板形センサと、
前記被験者の胴の上で前記治療部位の中に位置決めされるように構成された基準センサであって、前記電磁場発生器に対する前記被験者の胴の前記位置及び前記向きを表す基準座標系を定めるように構成された前記基準センサと、
前記基準座標系に対して少なくとも１つの第１の解剖学的位置及び１つの第２の解剖学的位置にマークを付けるように構成された登録センサと、
前記電磁場発生器を操作し、前記薄板形センサ、前記基準センサ、及び前記登録センサから得られる信号を読み取り、前記電磁場発生器に対するその位置及び向きを計算するように構成された処理回路網であって、前記処理回路網は前記被験者の前記胴並びに前記第１の解剖学的位置及び前記第２の解剖学的位置を表す３次元解剖学的マップを生成するようにさらに構成され、前記処理回路網は、前記被験者の移動とは関係なく、並びに前記電磁場発生器の前記位置及び／又は前記向きの偏差とは関係なく、前記第１の解剖学的位置及び前記第２の解剖学的位置に関して前記挿入装置の遠位先端部分に位置する先端センサの位置、向き、及び／又は経路の前記３次元解剖学的マップ上で視覚化を容易にするようにさらに構成され、したがって医療処置の成功の判断が容易になる、処理回路網と
を備える、挿入装置位置決め誘導システム。
【請求項２】
前記基準センサが前記患者の胴の側面上に位置決めされるように構成され、これにより前記３次元解剖学的マップが前記被験者の前面の体の輪郭をさらに示す、請求項１に記載のシステム。
【請求項３】
前記３次元解剖学的マップが、前記薄板形センサに基本的に平行な前記被験者の前面上部図を示す、請求項１に記載のシステム。
【請求項４】
前記３次元解剖学的マップが、前記薄板形センサに基本的に垂直な前記被験者の側面図を示す、請求項１に記載のシステム。
【請求項５】
前記３次元解剖学的マップが前記被験者の軸方向図を示す、請求項１に記載のシステム。
【請求項６】
前記３次元マップを表示するように構成されたモニタをさらに備える、請求項１に記載のシステム。
【請求項７】
前記薄板形センサが前記被験者の上部胴体及び／又は首の下に位置決めされるように構成される、請求項１に記載のシステム。
【請求項８】
前記登録センサが手動で操作されるように構成されたスタイラスである、請求項１に記載のシステム。
【請求項９】
前記挿入装置が胃腸管である、請求項１に記載のシステム。
【請求項１０】
前記第１の解剖学的位置が前記胸骨上の切欠きであり、前記第２の解剖学的位置が前記剣状突起であり、前記第１の解剖学的位置及び前記第２の解剖学的位置に対する前記胃腸管の経路表示が挿入の成功を示す、請求項９に記載のシステム。
【請求項１１】
挿入装置を誘導するための方法であって、
電磁場発生器を活用し、治療部位に電磁場を印加することと、
被験者の向きを定める位置で前記治療部位の中に薄板形センサを位置決めすることと、
被験者の胴の上で前記治療部位の中に基準センサを位置決めすることであって、前記基準センサが前記電磁場発生器に対する前記被験者の胴の前記位置及び前記向きを表す基準座標系を定める、基準センサを位置決めすることと、
登録センサを活用し、少なくとも１つの第１の解剖学的位置及び１つの第２の解剖学的位置にマークを付けることと、
処理回路網を活用し、前記電磁場発生器を操作し、前記薄板形センサ、前記基準センサ、及び前記登録センサから得られる信号を読み取り、前記電磁場発生器に対するその位置及び向きを計算し、前記被験者の前記胴並びに前記第１の解剖学的位置及び前記第２の解剖学的位置を表す３次元解剖学的マップを生成することと、
前記３次元解剖学的マップ上に、前記被験者の移動とは関係なく、並びに前記電磁場発生器の前記位置及び／又は前記向きの偏差とは関係なく、前記第１の解剖学的位置及び前記第２の解剖学的位置に関して前記挿入装置の先端センサの位置、向き、及び／又は経路を表示することと
を含む、方法。
【請求項１２】
前記３次元解剖学的マップ上に前記挿入装置の前記遠位先端部分の現在の位置、向き、及び／又は経路を表示し、このようにして医療処置の成功の判断を容易にすることをさらに含む、請求項１１に記載の方法。
【請求項１３】
前記基準センサを位置決めすることが、前記患者の胴の側面でその位置決めし、これにより前記３次元解剖学的マップが前記被験者の体の輪郭をさらに示すことを含む、請求項１１に記載の方法。
【請求項１４】
前記３次元解剖学的マップが、前記薄板形センサに基本的に平行な前記被験者の前面上部図を示す、請求項１１に記載の方法。
【請求項１５】
前記３次元解剖学的マップが、前記薄板センサに基本的に垂直な前記被験者の側面図を示す、請求項１１に記載の方法。
【請求項１６】
前記３次元解剖学的マップが、前記被験者の軸方向図を示す、請求項１１に記載の方法。
【請求項１７】
前記薄板形センサの位置決めすることが、前記被験者の上部胴体及び／又は首の下でのその位置決めすることを含む、請求項１１に記載の方法。
【請求項１８】
前記登録センサが手動で操作されるスタイラスである、請求項１１に記載の方法。
【請求項１９】
前記挿入装置が胃腸管である、請求項１１に記載の方法。
【請求項２０】
前記第１の解剖学的位置が前記胸骨上の切欠きであり、前記第２の解剖学的位置が前記剣状突起であり、前記第１の解剖学的位置及び前記第２の解剖学的位置に対する前記胃腸管の経路表示が挿入の成功を示す、請求項１９に記載の方法。
【発明の詳細な説明】
【技術分野】
【０００１】
本開示の実施形態は、挿入装置位置決め誘導システム及び方法に関する。
【背景技術】
【０００２】
経腸栄養法は多くの場合それ以外に食事できない患者における栄養補給として使用される。多くの利点が経腸栄養法の早期開始と関連付けられているが、栄養チューブの置き違えは相対的に一般的であり、患者の不快症状及び合併症につながることがある。チューブがすでに挿入された後にだけチューブの位置を確認することは、栄養補給及び水和又は投薬の開始を遅延させる。経鼻栄養チューブの誘導設置のためのベッドサイド電磁（ＥＭ）システムが利用可能であり、栄養チューブの置き違えを回避するために処置中に医療スタッフによって活用されている。しかしながら、依然として医療処置中の重大なツール位置決めに強化された精度を提供する信頼できるリアルタイム追跡システムの必要性がある。
【発明の概要】
【発明が解決しようとする課題】
【０００３】
関連技術及び関連技術に関連する制限の上述の例は、排他的ではなく例示的となることを目的としている。関連技術の他の制限は、明細書を読み、図を検討すると当業者に明らかになる。
【課題を解決するための手段】
【０００４】
以下の実施形態及び実施形態の態様は、適用範囲において制限的ではなく典型的且つ例示的であることが意図されるシステム、ツール、及び方法と併せて説明され、図解される。
【０００５】
電磁位置決め誘導システムを使用する栄養チューブの挿入と多くの場合関連付けられる問題の１つは、通常動的である患者環境において信頼性を得ることが困難である点である。例えば、患者は多くの場合移動し、ベッドはある場所から別の場所に動かされる。したがって、本明細書では患者の移動又は位置に関係なく、及び較正を必要としない確実に操作可能な電磁位置決め誘導システムが提供される。
【０００６】
いくつかの実施形態によると、治療部位をカバーする電磁場を発生させるように構成された電磁場発生器と、被験者の向き（具体的には、被験者の胸郭に垂直なベクトル）を定める位置で治療部位の中に位置決めされるように構成された薄板形センサと、被験者の胴の上で治療部位の中に位置決めされるように構成された基準センサであって、該電磁場発生器に対する被験者の胴の位置及び向きを表す基準座標系を定めるように構成された基準センサと、基準座標系に対して少なくとも１つの第１の解剖学的位置及び１つの第２の解剖学的位置にマークを付けるように構成された登録センサと、該電磁場発生器を操作し、薄板形センサ、該基準センサ、及び該登録センサから得られる信号を読み取り、該電磁場発生器に対してその位置及び向きを計算するように構成された処理回路網を含む挿入装置位置決め誘導システムが提供され、該処理回路網は、被験者の胴並びに第１の解剖学的位置及び第２の解剖学的位置を表す解剖学的マップを生成するようにさらに構成され、該処理回路網は、被験者の移動とは関係なく、並びに該電磁場発生器の位置及び／又は向きの偏差とは関係なく、第１の解剖学的位置及び第２の解剖学的位置に関して挿入装置の遠位先端部分に位置する先端センサの位置、向き、及び経路の３次元解剖学的マップで視覚化を容易にするようにさらに構成され、このようにして医療処置の成功の判断は容易になる。
【０００７】
いくつかの実施形態では、基準センサは患者の胴の側面に位置決めされるように構成され、これにより３次元解剖学的マップは被験者の体の輪郭をさらに示す。いくつかの実施形態では、３次元解剖学的マップは薄板形センサに基本的に平行な被験者の前面上部の図を示す。いくつかの実施形態では、３次元解剖学的マップは薄板形センサに基本的に垂直な被験者の側面図を示す。いくつかの実施形態では、３次元解剖学的マップは被験者の軸方向図を示す。
【０００８】
いくつかの実施形態では、システムは３次元マップを表示するように構成されたモニタをさらに含む。
【０００９】
いくつかの実施形態によると、本明細書に開示される用語「解剖学的マップ」は、１つ若しくは複数の概略マップ、１つ若しくは複数の２次元解剖学的マップ、１つ若しくは複数の３次元解剖学的マップ、又はその任意の組合せを指してよい。いくつかの実施形態によると、本明細書に開示される用語「解剖学的マップ」は、それぞれが異なる図（例えば、前面図、前面上部図、側面図、軸方向図）を表すマップ（例えば、２、３、４以上）マップのグループを指してよい。
【００１０】
いくつかの実施態様では、薄板形センサは、被験者の上部胴体及び／又は首の下に位置決めされるように構成される。
【００１１】
いくつかの実施形態では、登録センサは手動で操作されるように構成されたスタイラスである。
【００１２】
いくつかの実施形態では、挿入装置は胃腸管である。
【００１３】
いくつかの実施形態では、第１の解剖学的位置は胸骨上の切欠きであり、第２の解剖学的位置は剣状突起である。いくつかの実施形態では、第１の解剖学的位置及び第２の解剖学的位置に対する胃腸管の経路の前面図表示は、挿入の成功を示す。いくつかの実施形態では、胃腸管の（前面図中の）表示されている経路が第１の解剖学的位置と第２の解剖学的位置との間の軸を横断する位置が挿入の成功を示す。いくつかの実施形態では、胃腸管の表示されている経路の実際の形状が挿入の成功を示す。
【００１４】
いくつかの実施形態によると、挿入装置を誘導するための方法が提供され、方法は、電磁場発生器を活用し、治療部位に電磁場を印加することと、被験者の向きを定める位置で治療部位の中に薄板形センサを位置決めすることと、被験者の胴の上で治療部位の中に基準センサを位置決めすることであって、基準センサが電磁場発生器に対する被験者の胴の位置及び向きを表す基準座標系を定める基準センサを位置決めすることと、登録センサを活用し、少なくとも１つの第１の解剖学的位置及び１つの第２の解剖学的位置にマークを付けることと、処理回路網を活用し、該電磁場発生器を操作し、薄板形センサ、基準センサ、及び登録センサから得られる信号を読み取り、該電磁場発生器に対するその位置及び向きを計算し、被験者の胴並びに第１の解剖学的位置及び第２の解剖学的位置を表す解剖学的マップを生成することと、被験者の移動とは関係なく、並びに該電磁場発生器の位置及び／又は向きの偏差とは関係なく、第１の解剖学的位置及び第２の解剖学的位置に関して挿入装置の先端センサの位置、向き、及び／又は経路を解剖学的マップ上に表示することとを含む。
【００１５】
いくつかの実施形態では、方法は、解剖学的マップ上の挿入装置の遠位先端部分の経路を表示するステップをさらに含み、このようにして医療処置の成功の判断を容易にする。
【００１６】
いくつかの実施形態では、基準センサの位置決めすることは、患者の胴の側面でのその位置決めすることを含み、これにより解剖学的マップは被験者の体の輪郭をさらに示す。
【００１７】
いくつかの実施形態では、薄板形センサの位置決めすることは、被験者の上部胴体及び／又は首の下でのその位置決めすることを含む。
【００１８】
いくつかの実施形態では、登録センサは手動で操作されるスタイラスである。
【００１９】
いくつかの実施形態では、解剖学的マップは薄板形センサに基本的に平行な被験者の前面上部図を示す。いくつかの実施形態では、解剖学的マップは薄板形センサに基本的に垂直な被験者の側面図を示す。いくつかの実施形態では、解剖学的マップは被験者の軸方向図を示す。
【００２０】
いくつかの実施形態では、挿入装置は胃腸管である。
【００２１】
いくつかの実施形態では、第１の解剖学的位置は胸骨上の切欠きであり、第２の解剖学的位置は剣状突起である。いくつかの実施形態では、第１の解剖学的位置及び第２の解剖学的位置に対する胃腸管の経路表示は、挿入の成功を示す。いくつかの実施形態では、胃腸管の表示された経路が第１の解剖学的位置及び第２の解剖学的位置との間の軸を横断する位置は、挿入の成功を示す。いくつかの実施形態では、胃腸管の表示された経路の実際の形状は挿入の成功を示す。
【００２２】
いくつかの実施形態では、電磁場発生器は患者と物理的に接触していない。いくつかの実施形態では、電磁場発生器は患者と物理的に接触しないように設計される。いくつかの実施形態では、電磁場発生器は、直接的又は間接的に患者と物理的に接触するように設計されていない。
【００２３】
いくつかの実施形態では、プロセッサ／処理回路網は２つのユニット又は２つのサブユニットを含んでよい。第１は追跡調査全体を制御する（例えば、電磁場発生器を操作し、薄板形センサ、基準センサ、及び登録センサから得られる信号を読み取り、該電磁場発生器に対するその位置及び向きを計算するように構成される。第２は、第１のプロセッサからの計算された位置及び向きの情報を受信し、この情報を使用して、被験者の胴並びに第１の解剖学的位置及び第２の解剖学的位置を表す３次元解剖学的マップを生成し、被験者の移動とは関係なく、並びに電磁場発生器の位置及び／又は向きの偏差とは関係なく、第１の解剖学的位置及び第２の解剖学的位置に関して先端センサの位置、向き、及び／又は経路の３次元解剖学的マップ上での視覚化を可能にするように構成される。
【００２４】
いくつかの実施形態によると、位置センサと呼ばれることもある先端センサは管／カテーテル／探り針の遠位末端に又は遠位末端に近接して位置決めされ、患者における管／カテーテル／探り針の遠位末端の位置を決定するのに役立つ。
【００２５】
本明細書に説明されるシステム及び方法は、磁場センサ、インピーダンスセンサ、又は超音波センサ等のセンサ（例えば、位置センサ）を使用し、いくつかの実施形態に従って適用されてよい。いくつかの実施形態によると、位置センサ（例えば、先端センサ）は、処理回路網に要素の座標を示す信号を受信させるカテーテル／管／探り針に取り付けられた要素を指してよい。位置センサは、（例えば、電磁場発生器から）センサによって受け取られるエネルギーに基づいて処理回路網／制御ユニットに対する位置信号を生成する受信機を含んでよい。いくつかの実施形態によると、センサと処理ユニットとの間の通信は無線であってよい。
【００２６】
本発明及びその実施形態のより多くの詳細及び特徴は、説明、及び添付図面に記載されてよい。
【００２７】
特別の定めのない限り、本明細書で使用されるすべての技術的な用語及び科学的な用語は、本発明が属する技術の当業者によって一般的に理解されるのと同じ意味を有する。本明細書に説明される方法及び材料に類似する又は同等の方法及び材料は本発明の実践又は試験に使用できるが、適切な方法及び材料は以下に説明される。矛盾がある場合は、定義を含む特許明細書が支配する。さらに、材料、方法、及び例は例示的にすぎず、制限的となることを目的としていない。
【００２８】
典型的な実施形態が参照される図に示される。図に示される構成要素及び特徴の寸法は概して便宜的に且つ提示の明確さのために選ばれ、必ずしも原寸に比例して示されていない。図は以下に示される。
【図面の簡単な説明】
【００２９】
【図１】いくつかの実施形態に係る挿入装置位置決め誘導システムのブロック図である。
【図２Ａ】いくつかの実施形態に係る、病院の状況での挿入装置位置決め誘導システムを概略で示す図である。
【図２Ｂ】いくつかの実施形態によると、図２Ａの図の拡大部分を示す図である。
【図２Ｃ】いくつかの実施形態によると、図２Ａの図の側面図である。
【図２Ｄ】いくつかの実施形態によると、異なる位置に位置するスタイラス、基準センサ、及び薄板形センサを使用し、マークを付けられる解剖学的位置を示す、病院の状況における挿入装置位置決め誘導システムを概略で示す図である。
【図２Ｅ】いくつかの実施形態によると、異なる位置に位置するスタイラス、基準センサ、及び薄板形センサを使用し、マークを付けられる解剖学的位置を示す、病院の状況における挿入装置位置決め誘導システムを概略で示す図である。
【図３Ａ】いくつかの実施形態によると、挿入装置の設置の「ライブ」表示を示す図である。
【図３Ｂ】いくつかの実施形態によると、挿入装置の設置の「再生」表示を示す図である。
【図４】いくつかの実施形態によると、挿入医療装置の位置を誘導するための方法のステップのフローチャートである。
【発明を実施するための形態】
【００３０】
本明細書に開示されるのは、挿入可能な医療装置（例えば、栄養チューブ等の管）の挿入を誘導するためのシステム及び方法である。開示されているシステムは、挿入装置位置決め誘導システムとして使用されてよい。システムは、挿入プロセスの間に挿入医療装置の位置を追跡し、リアルタイムで示すために使用されてよい。一例として、システムは、栄養チューブが被験者の体内に挿入されていくにつれて、栄養チューブの先端の位置を追跡し、示してよい。有利なことに、これは挿入処置を著しくより容易に且つより安全にし、管が正しい位置に挿入されることを確実にする。
【００３１】
いくつかの実施形態によると、治療部位をカバーする電磁場を発生させるように構成された電磁場発生器と、被験者の向き（具体的には、被験者の胸郭に垂直なベクトル）を定める位置で治療部位の中に位置決めされるように構成された薄板形センサと、被験者の胴の上で治療部位の中に位置決めされるように構成された基準センサであって、該電磁場発生器に対する被験者の胴の位置及び向きを表す基準座標系を定めるように構成された基準センサと、基準座標系に対して少なくとも１つの第１の解剖学的位置及び１つの第２の解剖学的位置にマークを付けるように構成された登録センサと、該電磁場発生器を操作し、該薄板形センサ、該基準センサ、及び該登録センサから得られる信号を読み取り、該電磁場発生器に対するその位置及び向きを計算し、被験者の胴並びに第１の解剖学的位置及び第２の解剖学的位置を表す解剖学的マップを生成するように構成された処理回路網を含む挿入装置位置決め誘導システムが提供され、該プロセッサ／処理回路網は、被験者の移動とは関係なく、並びに該電磁場発生器の位置及び／又は向きの偏差とは関係なく、第１の解剖学的位置及び第２の解剖学的位置に関して挿入装置の遠位先端部分に位置する先端センサの位置、向き、及び経路の解剖学的マップで視覚化を容易にするようにさらに構成され、このようにして医療処置の成功の判断が容易になる。任意選択で、システムはマップを表示するように構成されたモニタをさらに含む。
【００３２】
薄板形センサは、被験者の向き（具体的には、被験者の胸郭に垂直なベクトル）を定める位置での治療部位の中に位置決めされるように構成される。被験者の向き（具体的には、被験者の胸郭に垂直なベクトル）は、治療部位の中に位置決めされるように構成された薄板形センサによって示されてよい。非制限例では、薄板形センサは被験者の上部胴体及び／又は首の下に位置決めされるように構成される。
【００３３】
被験者の胴の電磁場発生器に対する位置及び向きを表す基準座標系は、被験者の胴の上で治療部位の中に位置決めされるように構成された基準センサによって示されてよい。基準センサは、患者の胴の側面に位置決めされてよく、これにより解剖学的マップは被験者の体の輪郭をさらに示す。
【００３４】
第１の解剖学的位置及び第２の解剖学的位置は、基準座標系に対して少なくとも第１の解剖学的位置及び第２の解剖学的位置にマークを付けるように構成された登録センサによって示されてよい。任意選択で、登録センサは手動で操作されるように構成されたスタイラスである。任意選択で、第１の解剖学的位置は胸骨上の切欠きであり、第２の解剖学的位置は剣状突起であり、胃腸管の第１の解剖学的位置及び第２の解剖学的位置に対する経路表示は、挿入の成功を示す。
【００３５】
電磁場発生器は、被験者の体内に管を設置するための処置の持続時間を通して静的であってよい。係る場合、電磁場によってカバーされる部位は、被験者の体内に管を設置するための処置の持続時間を通して静的／一定である。有利なことに、静的な電磁場は表示の精度に貢献することがある。
【００３６】
解剖学的マップは、薄板形センサに基本的に平行な被験者の前面上部図及び／又は薄板形センサに基本的に垂直な被験者の側面図及び／又は被験者の軸方向図を示してよい。
【００３７】
電磁場発生器及びセンサの１つ又は複数を含む上述の電磁場追跡システムとしての使用に適したハードウェアの一例は、カナダ、オンタリオのＮｏｒｔｈｅｒｎ  Ｄｉｇｉｔａｌ  Ｉｎｃ．によるＡｕｒｏｒａ（登録商標）システムである。
【００３８】
以下の説明を通して、装置の異なる実施形態の類似する要素は、１００の整数倍数分、異なる要素番号によって参照される。例えば、図１の電磁場発生器は番号１０２によって参照され、図１の電磁場発生器１０２に相当する図２の電磁場発生器は番号２０２によって参照される。
ここで、挿入装置位置決め誘導システム１００のブロック図である図１が参照される。システム１００は、少なくとも１つの関心のある部位１０３ｂ（例えば、患者の胴等の治療部位）をカバーする電磁場１０３ｂを発生させるように構成された電磁場発生器１０２、
関心のある部位１０３ｂ（通常、被験者の胴）の解剖学的マップ（図３Ａ〜図３Ｂ）上の（挿入装置の遠位先端部分に位置する）先端センサの位置を示すために、センサ１０４、１０６、及び１０８等の複数の電磁センサを含む。システム１００は、該電磁場発生器を操作し、薄板形センサ、基準センサ、及び登録センサから得られる信号を読み取り、該電磁場発生器に対するその位置及び向きを計算し、被験者の胴を表す解剖学的マップを生成するように構成されたプロセッサ１１０をさらに含む。プロセッサ１１０は、被験者の移動とは関係なく、並びに電磁場発生器１０２の位置及び／向きの偏差とは関係なく、事前に指定された解剖学的位置に関して先端センサの位置及び経路の解剖学的マップでの視覚化を容易にするように構成される。システム１００は、プロセッサ１１０に動作可能なように接続され、解剖学的マップ上に、挿入部位の位置及び／又は挿入位置先端から挿入部位までの経路を表示するように構成されたモニタ１１２をさらに含む。いくつかの実施形態では、モニタ１１２は、オールインワンコンピュータの場合において等、プロセッサ１１０と統合されてよい。したがって、医療処置（例えば、肺とは対照的に胃に対する栄養チューブの挿入）の成功の判断が可能である。
【００３９】
センサ１０８は、通常、被験者の向きを定める位置での治療部位の中に位置決めされるように構成された薄板形センサである。任意選択で、位置は被験者の姿勢を示す。薄板形センサ１０８は、任意選択で６ＤＯＦ（自由度）の電磁センサである。薄板形センサ１０８は、任意選択で被験者のベッドに位置決めされ、ベッドの位置にマークを付けることによって被験者の姿勢にマークを付けるように構成される。代わりに、薄板形センサ１０８は被験者の体に取り付けられてよい。任意選択で、薄板形センサ１０８は被験者の背中の下に位置決めされる。任意選択で、薄板形センサ１０８は、被験者の上部胴体及び／又は首の下に位置決めされる。薄板形センサ１０８が被験者の背中に隣接して保たれる場合、薄板形センサ１０８は、被験者が横たわっているのか、自分の上半身を部分的に持ち上げられた状態で横たわっているのか、それとも座っているのかを示してよい。基準センサ１０８は、電磁場発生器１０２に関するその位置（ＸＹＺ軸）及び姿勢（ロール、ヨー、及びピッチ）の６軸を決定できる、例えば６‐ＤＯＦ電磁センサであってよい。
【００４０】
センサ１０４は、通常、被験者の胴に位置決めされるように構成された基準センサである。基準センサ１０４は、電磁場発生器に対する被験者の胴の位置及び向きを表す基準座標系を定めるように構成される。任意選択で、基準センサ１０４は、例えば患者の腋窩の真下等、患者の胴の側面で患者の皮膚に取り付けられてよい。係る場合、解剖学的マップは、被験者の体の輪郭をさらに示すことがある。基準センサ１０４は、例えば電磁場発生器１０２に関するその位置（ＸＹＺ軸）及び姿勢（ロール、ヨー、及びピッチ）の６軸を決定できる６‐ＤＯＦ電磁センサであってよい。
【００４１】
センサ１０６は、通常、被験者の体（例えば、被験者の胴）の上の少なくとも１つの第１の解剖学的（胸郭の）位置及び１つの第２の解剖学的（胸郭の）位置に位置決めされ、被験者の体（例えば、被験者の胴）の上の少なくとも１つの第１の解剖学的（胸郭の）位置及び１つの第２の解剖学的（胸郭の）位置にマークを付けるように構成された登録センサである。異なる解剖学的位置は、使用される処置のタイプ、挿入医療装置のタイプ等に応じてマークを付けられてよい。解剖学的位置のマーキングは、マーカー／（ステッカー等の）基準を取り付ける等、物理的であってよい。代わりに、解剖学的位置のマーキングは、仮想マーカー／基準を登録する等、仮想であってよい。実施形態に係るマーキングは、例えば非制限例では、被験者の胸骨上の切欠き及び被験者の剣状突起等、被験者の体の中の又は被験者の体の上の解剖学的位置の識別又は指定を容易にしてよい。
【００４２】
任意選択で、登録センサ１０６は、スタイラスのオペレータによって識別される被験者の体の上で少なくとも１つの第１の解剖学的位置及び１つの第２の解剖学的位置にマークを付けるために手動で操作されるように構成されたスタイラスセンサである。マーキングは、いったんスタイラスセンサ１０６が患者の体の所望される点の上に位置決めされると、（例えば、ＧＵＩボタンを押すこと又は音声活性化によってであるが、これに限定されるものではない）ソフトウェアに示すことによって、単に例として行われてよい。マーキングは、プロセッサ１１０に通信され、プロセッサ１１０によって登録されてよい。
【００４３】
システム１００は、栄養チューブ等の挿入医療装置（不図示）と連動して機能するように構成される。挿入医療装置は、関心のある領域１０３ｂの中でのその追跡を可能にするために１つ又は複数のセンサを含んでよい。好ましくは、センサは挿入医療装置の先端に位置する。係る場合、プロセッサ１１０及びモニタ１１２は、挿入部位／標的部位につながる指定された解剖学的位置の間で挿入医療装置の先端の位置及び／又は前進を計算し、表示するように構成される。
【００４４】
いくつかの実施形態によると、本明細書に使用されるように、用語「挿入装置」及び「挿入医療装置」は体内への挿入のために適応された任意の装置／ツールを指してよい。挿入装置は任意の医療挿入装置または医療手術装置であってよい。挿入医療装置の非制限例は
胃腸管（例えば、経鼻栄養チューブ）、気管内チューブ、気管カニューレ、胃管、カテーテル管、又は輪状甲状靭帯切開管等の栄養チューブを含む。挿入装置の他の例は技術で周知である。
【００４５】
いくつかの実施形態によると、用語「処理回路網」及び「プロセッサ」は交互に用いられてよい。
【００４６】
いくつかの実施形態では、挿入装置は管である。いくつかの実施形態では、管は栄養チューブである。いくつかの実施形態では、管は、経鼻胃栄養チューブ又は経鼻栄養チューブ等であるが、これに限定されるものではない胃／腸栄養チューブである。いくつかの実施形態によると、栄養チューブは、例えばその遠位端に等、その中に及び／又はその上に電磁センサを配置していることがある。
【００４７】
ここで、いくつかの実施形態に従って、病院の状況で挿入装置位置決め誘導システム２００を概略で示す図２Ａ〜図２Ｅが参照される。図２Ａは、いくつかの実施形態に従って病院の状況で挿入装置位置決め誘導システムを概略で示し、図２Ｂはいくつかの実施形態に従って図２Ａの図の拡大部分を示し、図２Ｃはいくつかの実施形態に従って図２Ａの図の側面図を示し、図２Ｄ〜図２Ｅは、いくつかの実施形態に従って、異なる位置に位置するスタイラス、（図２Ａ〜図２Ｃに示されるような）基準センサ、及び薄板形センサを使用し、マークを付けられた解剖学的位置を示す、病院状況での挿入装置位置決め誘導システムを概略で示す。
【００４８】
図１のシステム１００と同様に、システム２００は電磁場発生器２０２、及び複数の電磁センサ２０４、２０６、及び／又は２０８を含む。さらに、システム２００は、電磁場発生器２０２によって発生する電磁場を検知する、及び／又は電磁場発生器２０２によって発生する電磁場と干渉するように構成された１つ又は複数の電磁センサを含んでよい挿入医療装置（不図示）と連動して機能するように構成される。任意選択で、システム２００のモニタ２１２は、図１のプロセッサ１１０に相当するまたはプロセッサ１１０を含むコンピュータと統合される。
【００４９】
いくつかの実施形態によると、電磁場発生器２０２は、電磁場が外部作業領域及び内部作業領域、つまり言い換えると（少なくとも鼻領域から十二指腸領域までの）上部胴体全体をカバーできるようにするための、患者に関する角度及び位置に位置決めされてよい。基準センサ２０４、薄板形センサ２０８、及びスタイラスセンサ２０６は、すべて電磁場発生器２０２によって作り出される場の下でカバーされる。栄養チューブの先端センサは、消化器系の内側で移動するように構成され、したがってその経路は追跡できる。基準センサ２０４は、例えば患者の腋窩の真下で、患者の皮膚に及び／又は患者の皮膚の上に取り付けられてよい。センサの取付けのために適した手段は、例えば、ステッカー、医療用接着剤等、技術で周知である。基準センサ２０４は、電磁場発生器２０２によって発せられる電磁場（不図示）に基づいて、電磁場発生器２０２に関する患者の位置（ＸＹＺ軸）及び姿勢（ロール、ヨー、及びピッチ）を検出するために役立ってよい。
【００５０】
本明細書に説明されるように、薄板形センサ２０８は、被験者の向き（又は少なくとも治療されている体の部分の向き）を定める位置に位置決めされてよい。例えば、医療挿入処置が患者の胴に関与する場合、薄板形センサ２０８は図２Ｄに示されるように胴に平行に患者のベッド２１５の部分に位置決めされてよい。代わりに、図２Ｅに示されるように、薄板形センサ３０８は、少なくとも部分的に患者の背中とベッド２１５との間に挿入される。
【００５１】
スタイラスセンサ２０６は、患者の皮膚上で１つ又は複数の解剖学的位置にマークを付けるために手動で操作されてよい。例えば、図２Ｄ及び図２Ｅは患者の胸郭上の（これらの図で「２０６ａ」及び「２０６ｂ」として示される）２つの係る解剖学的位置のマーキングを示す。解剖学的位置２０６ａは胸骨上の切欠き上にマークを付けられ、解剖学的位置２０６ｂは剣状突起上にマークを付けられる。マーキングはコンピュータに通信され、コンピュータによって登録されてよい。
【００５２】
任意選択で、コンピュータは、基準センサ２０４、薄板形センサ２０８、並びに２つのマークを付けられた解剖学的位置２０６ａ及び２０６ｂの位置及び姿勢の信号を受信し、被験者の胴を表す解剖学的マークを計算し、その後医療処置が開始できる。栄養チューブの挿入を誘導する典型的な場合、栄養チューブの先端にはセンサが備えられる。任意選択で、コンピュータは、信号を受信し、センサの位置を計算する第２のプロセッサからセンサの実際の位置及び向きを受信する。任意選択で、コンピュータは、センサから信号を受信し、その物理的な位置を計算する第２のプロセッサから実際の位置及び向きを受信する。
【００５３】
システム２００は以下の通りに操作される。
【００５４】
電磁場発生器２０２は、治療部位に電磁場を印加し、被験者の胴をカバーするために作動される。
【００５５】
薄板センサ２０８／３０８は、例えば被験者の胴の真下のベッド上等、被験者の向き（又は少なくとも治療されている体の部分の向き）を定める位置で治療部位の中に位置決めされる。
【００５６】
基準センサ２０４は、被験者の胴の上、好ましくは胴の側面上で治療部位の中に位置決めされる。基準センサ２０４は、電磁場発生器に対する被験者の胴の位置及び向きを表す基準座標系を定める。
【００５７】
登録センサ２０６は、被験者の胴（例えば、胸骨上の切欠き及び剣状突起）上に２つの解剖学的位置にマークを付けるために使用される。
【００５８】
プロセッサを活用し、胴及び２つの解剖学的位置を表す解剖学的マップを生成し、並びにモニタ２１２上に解剖学的マップ及び（栄養チューブの）先端センサの位置と経路を表示すること。先端センサの経路は、２つの解剖学的位置に関して、及び／又は２つの解剖学的位置の間及び胴の中心に沿って通る長手方向軸に関して表示されてよい。
【００５９】
ここで、いくつかの実施形態に従って挿入装置の設置の「ライブ」表示の図を示す図３Ａ、及びいくつかの実施形態に従って挿入装置の設置の「再生」表示の図を示す図３Ｂが参照される。係る表示は、モニタ２１２等のモニタに提示されてよい。左隅は一般的な情報及び患者の詳細を含み、図３Ｂの表示では再生制御も含む。
【００６０】
先端の経路は概略で描かれ、介護人が、管が所望される位置に達するまで、管の挿入経路全体を視覚化できるようにする。任意選択で、並びに図３Ａ及び図３Ｂに示されるように、矢印は経路の先端近くにあり、管が指している実際の方向を示す。係る矢印（複数可）は、ユーザが管を適切に挿入する（又は管がどこで及びどの方向に移動しているのかをよりよく理解する）のに役立つことがある。図３Ａ及び図３Ｂの両方の表示は、患者の体の３つの図、つまりモニタの右上側に示される前面図、モニタの左下側に示される側面方向図、及びモニタの右下側に示される軸方向図を示す。いくつかの実施形態では、異なる及び／又は追加の図が示されてよい。
【００６１】
挿入医療装置を挿入している介護人は、医療器具を体内の所望される位置に誘導するために、患者の体内に医療器具を手動で動かしながら、モニタ２１２上で表示を見ることができる。
【００６２】
ここで、いくつかの実施形態に従って、挿入医療装置の位置を誘導するための方法のステップのフローチャートである図４が参照される。ステップ４２０は、治療部位に対する電磁場の印加を含む。任意選択で、図２の電磁場発生器２０２等の電磁場発生器は、電磁場が治療部位をカバーするように位置決めされる。図２Ａ〜図２Ｄの薄板形センサ２０８等の薄板形センサは、被験者の向き（又は少なくとも治療されている体の部分の向き）を定める位置に位置決めされる（ステップ４２２）。図２Ａ〜図２Ｄの基準センサ２０４等の基準センサは被験者の胴の上で治療部位の中で患者に位置決めされ、基準センサは電磁場発生器に対する被験者の胴の位置及び向きを表す基準座標系を定める（ステップ４２４）。任意選択で、基準センサは被験者の体の輪郭を示すように患者の胴の側面に位置決めされる。少なくとも第１の解剖学的位置及び第２の解剖学的位置は、登録センサを活用することによってマークを付けられる（ステップ４２６）。任意選択で、図２Ａ〜図２Ｄのスタイラスセンサ２０６等のスタイラスセンサは、少なくとも第１の解剖学的位置及び第２の解剖学的位置（例えば、２０６ａ及び２０６ｂ）にマークを付けるために手動で操作される。代わりに、１つ又は複数の登録センサは、少なくとも第１の解剖学的位置及び第２の解剖学的位置上に位置決めされる。任意選択で、第１の解剖学的位置は胸骨上の切欠きであり、第２の解剖学的位置は剣状突起である。基準センサ２０４、薄板形センサ２０８、ならびに２つのマークを付けられた解剖学的位置２０６ａ及び２０６ｂは、関心のある部位の中に存在する。ステップ４２０、４２２、及び４２４のそれぞれは同時に又は取替え可能な順序で実行されてよい。被験者の胴並びに第１の解剖学的位置及び第２の解剖学的位置を表す解剖学的マップは、プロセッサを活用することによって生成される（ステップ４２８）。解剖学的マップは、基準センサ２０４、薄板形センサ２０８、及び２つのマークを付けられた解剖学的位置２０６ａ及び２０６ｂから受信される信号に基づいて生成されてよい。挿入装置の先端センサの位置及び向きは、被験者の移動とは関係なく、並びに電磁場発生器の位置及び／又は向きの偏差とは関係なく、第１の解剖学的位置及び第２の解剖学的位置に関して解剖学的マップに表示される（ステップ４３０）。これは、すべてのセンサが電磁場発生器の検知体積の中に留まるときに達成できる。
【００６３】
任意選択で、解剖学的マップは、薄板形センサに基本的に平行な被験者の前面上部図、薄板形センサに基本的に垂直な被験者の側面図、被験者の軸方向図を示す。任意選択で解剖学的マップは、第１の解剖学的位置及び第２の解剖学的位置２０６ａ及び２０６ｂに対する挿入された装置の位置を計算し、表示することによって、被験者の体内での（電磁場発生器によって発生する電磁場を検知する、及び／又は電磁場発生器によって発生する電磁場と干渉するように構成された電磁センサを有する）挿入装置の位置の視覚化を可能にする。任意選択で、計算することは、少なくとも基準センサ２０４及び薄板形センサ２０８から受信され、処置中に連続的に及び／又はリアルタイムで得られる信号に基づいて位置を正規化することを含んでよい。
【００６４】
本発明は、システム、方法、及び／又はコンピュータプログラム製品であってよい。コンピュータプログラム製品は、プロセッサに本発明の態様を実施させるためにその上にコンピュータ可読プログラム命令を有する１つ（又は複数）のコンピュータ可読記憶媒体を含んでよい。
【００６５】
コンピュータ可読記憶媒体は、命令実行装置による使用のために命令を保持し、記憶できる有形装置であることがある。コンピュータ可読記憶媒体は、例えば電子記憶装置、磁気記憶装置、光学記憶装置、電磁記憶装置、半導体記憶装置、又は前記のいずれかの適切な組合せであってよいが、これに限定されるものではない。コンピュータ可読記憶媒体のより具体的な例の包括的ではないリストは以下、つまりポータブルコンピュータディスケット、ハードディスク、ランダムアクセスメモリ（ＲＡＭ）、読出し専用メモリ（ＲＯＭ）、消去可能ＰＲＯＭ（ＥＰＲＯＭ又はフラッシュメモリ）、スタティックランダムアクセスメモリ（ＳＲＡＭ）、ポータブルコンパクトディスクリードオンリーメモリ（ＣＤ−ＲＯＭ）、デジタル多用途ディスク（ＤＶＤ）、メモリスティック、フロッピーディスク、命令がその上に記録されている機械的に符号化された装置、及び前記の任意の適切な組合せを含む。本明細書に使用されるコンピュータ可読記憶媒体はそれ自体、電波又は他の自由に伝搬する電磁波、導波管若しくは他の伝送媒体を通って伝搬する電磁波（例えば、光ファイバケーブルを通過する光パルス）、又はワイヤを通って伝送される電気信号等、一過性の信号であるとして解釈されるべきではない。むしろ、コンピュータ可読記憶媒体は非一過性（つまり、揮発性ではない）媒体である。
【００６６】
本明細書に説明されるコンピュータ可読プログラム命令は、コンピュータ可読記憶媒体からそれぞれのコンピューティング／処理装置に、又は外部コンピュータ若しくは外部記憶装置に、例えばインターネット、ローカルエリアネットワーク、広域ネットワーク、及び／又は無線ネットワーク等のネットワークを介してダウンロードできる。ネットワークは、銅伝送ケーブル、光伝送ファイバ、無線伝送、ルータ、ファイアウォール、スイッチ、ゲートウェイコンピュータ、及び／又はエッジサーバを含んでよい。各コンピューティング／処理装置でのネットワークアダプタカード又はネットワークインタフェースは、ネットワークからコンピュータ可読プログラム命令を受信し、それぞれのコンピューティング／処理装置の中のコンピュータ可読記憶媒体での記憶のためにコンピュータ可読プログラム命令を転送する。
【００６７】
本発明の動作を実施するためのコンピュータ可読プログラム命令は、アセンブラ命令、インストラクションセットアーキテクチャ（ＩＳＡ）命令、機械命令、機械依存命令、マイクロコード、ファームウェア命令、状態設定データ、又はＪａｖａ、Ｓｍａｌｌｔａｌｋ、Ｃ＋＋等のオブジェクト指向プログラミング言語及び「Ｃ」プログラミング言語若しくは類似するプログラミング言語等の従来の手続き型プログラミング言語を含む、１つ又は複数のプログラミング言語の任意の組合せで作成されるソースコード又はオブジェクトコードのいずれかであってよい。コンピュータ可読プログラム命令は、完全にユーザのコンピュータ上で、部分的にユーザのコンピュータ上で、スタンドアロンソフトウェアパッケージとして、部分的にユーザのコンピュータ上で、及び部分的にリモートコンピュータ上で、又は完全にリモートコンピュータ若しくはサーバ上で実行してよい。後者の状況では、リモートコンピュータは、ローカルエリアネットワーク（ＬＡＮ）、若しくは広域ネットワーク（ＷＡＮ）を含む任意のタイプのネットワークを通してユーザのコンピュータに接続されてよい、又は接続は（例えば、インターネットサービスプロバイダを使用し、インターネットを通して）外部コンピュータになされてよい。いくつかの実施形態では、例えばプログラマブル論理回路網、フィールドプログラマブルゲートアレイ（ＦＰＧＡ）、又はプログラマブルロジックアレイ（ＰＬＡ）を含む電子回路網は、本発明の態様を実行するために、電子回路網を個人化するコンピュータ可読プログラム命令の状態情報を活用することによってコンピュータ可読プログラム命令を実行してよい。
【００６８】
本発明の態様は、本発明の実施形態に係る方法、装置（システム）、及びコンピュータプログラム製品のフローチャート図及び／又はブロック図を参照して本明細書に説明される。フローチャート図及び／又はブロック図の各ブロック、並びにフローチャート図及び／又はブロック図のブロックの組合せは、コンピュータ可読プログラム命令によって実施できることが理解される。
【００６９】
これらのコンピュータ可読プログラム命令は、マシンを作り出すために汎用コンピュータ、特殊目的コンピュータのプロセッサ、又は他のプログラム可能データ処理装置に提供されてよく、これによりコンピュータのプロセッサ又は他のプログラム可能データ処理装置を介して実行する命令は、フローチャート及び／又はブロック図の１つ又は複数のブロックで指定される機能／行為を実施するための手段を作成する。また、これらのコンピュータ可読プログラム命令は、コンピュータ、プログラム可能データ処理装置、及び／又は他の装置に特定の方法で機能するように命令できるコンピュータ可読記憶媒体に記憶されてよく、これにより命令をその中に記憶させるコンピュータ可読記憶媒体は、フローチャート及び／又はブロック図の１つ又は複数のブロックで指定される機能／行為の態様を実施する命令を含む製造品を含む。
【００７０】
また、コンピュータ可読プログラム命令は、一連の操作ステップを、コンピュータ、他のプログラム可能装置又は他の装置で実行させてコンピュータ実装プロセスを作り出すためにコンピュータ、他のプログラム可能データ処理装置、又は他の装置にロードされてもよく、これによりコンピュータ、他のプログラム可能装置、又は他の装置で実行する命令は、フローチャート及び／又はブロック図の１つ又は複数のブロックに指定される機能／行為を実装する。
【００７１】
図の中のフローチャート及びブロック図は、本発明の多様な実施形態に係るシステム、方法、及びコンピュータプログラム製品の考えられる実装のアーキテクチャ、機能性、及び動作を説明する。この点で、フローチャート又はブロック図の各ブロックは指定された論理関数（複数可）を実装するための１つ又は複数の実行可能命令を含むモジュール、セグメント、又は命令の部分を表してよい。いくつかの代替実施態様では、ブロックで注記される機能は図中に注記される順序外で発生してよい。例えば、連続して示される２つのブロックは、事実上、実質的に同時に実行されてよい、又はブロックは関与する機能性に応じて時折逆順で実行されてよい。ブロック図及び／又はフローチャート図の各ブロック、並びにブロック図及び／又はフローチャート図のブロックの組合せが、指定された機能若しくは行為を実行する、又は特殊目的ハードウェア及びコンピュータ命令の組合せを実施する特殊目的ハードウェアベースシステムによって実装できることも留意される。
【００７２】
本発明の多様な実施形態の説明は、図解のために提示されているが、包括的となる又は開示される実施形態に制限されることを目的としてない。多くの変更形態及び変形形態は説明される実施形態の範囲及び精神を逸脱することなく当業者に明らかになる。本明細書で使用される専門用語は実施形態の原理、実践的な用途、又は市場で見付けられる技術に優る技術的な改善を最もよく説明するために、又は当業者が本明細書に開示される実施形態を理解できるようにするために選ばれた。
【図１】
2018027308.tif 000003
【図２Ａ】
2018027308.tif 000004
【図２Ｂ】
2018027308.tif 000005
【図２Ｃ】
2018027308.tif 000006
【図２Ｄ】
2018027308.tif 000007
【図２Ｅ】
2018027308.tif 000008
【図３Ａ】
2018027308.tif 000009
【図３Ｂ】
2018027308.tif 000010
【図４】
2018027308.tif 000011
【外国語明細書】
2018027308.tif 000012
2018027308.tif 000013
2018027308.tif 000014
2018027308.tif 000015
2018027308.tif 000016
2018027308.tif 000017
2018027308.tif 000018
2018027308.tif 000019
2018027308.tif 000020
2018027308.tif 000021
2018027308.tif 000022
2018027308.tif 000023
2018027308.tif 000024
2018027308.tif 000025
2018027308.tif 000026
2018027308.tif 000027
2018027308.tif 000028
2018027308.tif 000029
2018027308.tif 000030
2018027308.tif 000031
2018027308.tif 000032
2018027308.tif 000033
【図１】
2018027308.tif 000034
【図２Ａ】
2018027308.tif 000035
【図２Ｂ】
2018027308.tif 000036
【図２Ｃ】
2018027308.tif 000037
【図２Ｄ】
2018027308.tif 000038
【図２Ｅ】
2018027308.tif 000039
【図３Ａ】
2018027308.tif 000040
【図３Ｂ】
2018027308.tif 000041
【図４】
2018027308.tif 000042